(57)【特許請求の範囲】
【請求項１】
建物内に設けられた乾燥室に、当該乾燥室を上下に仕切るとともに、下方から上方に空気を吹出し可能とする仕切手段が設けられることによって、当該仕切手段より上方空間が衣類乾燥室とされ、
前記衣類乾燥室を形成する壁または天井に、前記建物内に設けられた空調装置用の吸気口が設けられ、
前記仕切手段より下方に位置する下方空間を形成する壁に、前記建物内の空気を前記下方空間に取り込む空気取込口が設けられており、
前記仕切手段は板状部材によって形成され、当該板状部材には上下に貫通する複数の貫通孔が形成されており、これら貫通孔はその直径の大きさによって複数種類あり、
前記複数の貫通孔には、前記板状部材の一辺に沿って等間隔で形成される同じ直径の複数の貫通孔と、前記板状部材の前記一辺に直交する辺に沿って、直径を次第に小さくし、かつ配置間隔を次第に狭くした複数の貫通孔と、が含まれており、
前記仕切手段である前記板状部材は、前記空気取込口から遠い側に、前記一辺を配置し、近い側に前記一辺と対向する辺を配置するようにして前記乾燥室に設けられていることを特徴とする衣類乾燥システム。
【請求項２】
前記空調装置は、当該空調装置から供給される空気を前記乾燥室が設けられた階にある部屋、廊下等を順に流通させたうえで、前記空調装置に戻す循環型のものであり、
前記部屋、廊下等を順に流通した空気が前記空気取込口から前記下方空間に取り込まれることを特徴とする請求項１に記載の衣類乾燥システム。
【請求項３】
前記空気取込口と前記仕切手段との間に、乾燥剤が設けられていることを特徴とする請求項１または２に記載の衣類乾燥システム。
【請求項４】
前記乾燥室に隣接して脱衣室が設けられており、この脱衣室と前記乾燥室とを仕切る壁に、衣類を前記衣類乾燥室に出し入れ可能な戸が設けられていることを特徴とする請求項１〜３のいずれか一項に記載の衣類乾燥システム。
【請求項５】
前記吸気口の近傍に、湿度センサが設けられており、この湿度センサが建物の内の所定の部屋に設けられた表示器に接続されていることを特徴とする請求項１〜４のいずれか一項に記載の衣類乾燥システム。
【請求項６】
前記仕切手段には、埃除去・消臭用のフィルターが設けられていることを特徴とする請求項１〜５のいずれか一項に記載の衣類乾燥システム。
【発明の詳細な説明】
【技術分野】
【０００１】
本発明は、建物内に設ける衣類乾燥システムに関する。
【背景技術】
【０００２】
生活スタイルの変化やプライバシーの問題等により、洗濯後の衣類を屋内干しにするニーズが高まっている。
屋内干し用の乾燥室を備えた衣類乾燥システムの一例として特許文献１に記載ものが知られている。この衣類乾燥システムでは、洗濯室に、洗濯機を設置する洗濯機室と、洗濯物を乾燥させるための乾燥室とが、前記洗濯機室から前記乾燥室に向かって洗濯物を供給するための供給口を介して連続的に設けられており、前記乾燥室に、この乾燥室から洗濯機室にわたって、洗濯物を掛ける複数のハンガーを回転循環する回転循環装置が設置されている。
この乾燥室では、洗濯物が掛けられた複数のハンガーを回転循環するようになっているので、洗濯物に風が当たり、これによって、洗濯物を乾燥させるようになっている。
【先行技術文献】
【特許文献】
【０００３】
【特許文献１】特開２００６−３２２２２５号公報
【発明の概要】
【発明が解決しようとする課題】
【０００４】
ところで、前記従来の衣類乾燥システムでは、乾燥室において、洗濯物が掛けられた複数のハンガーを回転循環させることによって、洗濯物に風を当てるようになっているが、回転によって洗濯物に当たる風は緩やかであるので乾燥に時間がかかるとともに、横からの風なので、洗濯物に均一に風が当たり難く、乾燥に偏りが発生し易いという問題がある。
また、乾燥室に乾燥機等の機器を設置した場合、その分、エネルギーがかかってしまうという問題がある。
【０００５】
本発明は上記事情に鑑みてなされたもので、乾燥室に乾燥機等の機器を設置することなく、洗濯物等の衣類を短時間でかつ均一に乾燥できる衣類乾燥システムを提供することを課題としている。
【課題を解決するための手段】
【０００６】
上記課題を解決するために、請求項１に記載の発明は、例えば図１に示すように、建物内に設けられた乾燥室１に、当該乾燥室１を上下に仕切るとともに、下方から上方に空気を吹出し可能とする仕切手段２が設けられることによって、当該仕切手段２より上方空間が衣類乾燥室３とされ、
前記衣類乾燥室３を形成する壁または天井に、前記建物内に設けられた空調装置７用の吸気口１０が設けられ、
前記仕切手段２より下方に位置する下方空間１１を形成する壁に、前記建物内の空気を前記下方空間に取り込む空気取込口１２が設けられており、
前記仕切手段２は板状部材によって形成され、当該板状部材には上下に貫通する複数の貫通孔２ａが形成されており、これら貫通孔２ａはその直径の大きさによって複数種類あり、
前記複数の貫通孔２ａには、前記板状部材の一辺２ｂに沿って等間隔で形成される同じ直径の複数の貫通孔２ａと、前記板状部材の前記一辺２ｂに直交する辺２ｃに沿って、直径を次第に小さくし、かつ配置間隔を次第に狭くした複数の貫通孔２ａと、が含まれており、
前記仕切手段２である前記板状部材は、前記空気取込口１２から遠い側に、前記一辺２ｂを配置し、近い側に前記一辺２ｂと対向する辺２ｄを配置するようにして前記乾燥室１に設けられていることを特徴とする。
【０００７】
請求項１に記載の発明によれば、衣類乾燥室３を形成する壁または天井に、建物内に設けられた空調装置７用の吸気口１０が設けられているので、衣類乾燥室３の空気は吸気口１０に吸入され、これによって衣類乾燥室３が負圧となる。
一方、仕切手段２より下方に位置する下方空間１１を形成する壁に空気取込口１２が設けられているので、建物内の空気は空気取込口１２から下方空間１１に入るが、衣類乾燥室３が負圧となっているので、下方空間１１に入った空気は、仕切手段２によって下方から上方の衣類乾燥室３に吹き出される。
この吹き出された空気が衣類乾燥室３に配置された洗濯物等の衣類に下方から均一に当たったうえで、空調装置７用の吸気口１０に吸入される。
したがって、乾燥室１に乾燥機等の機器を設置することなく、洗濯物等の衣類を短時間でかつ均一に乾燥できる。
また、仕切手段２に複数の貫通孔２ａが設けられており、これら貫通孔２ａはその直径の大きさによって複数種類あるので、これら貫通孔２ａから衣類乾燥室３に吹き出された空気が乱流となり、衣類乾燥室３に配置された洗濯物等の衣類により均一に当たる。したがって、衣類をより均一に乾燥できる。
【０００８】
請求項２に記載の発明は、例えば図４〜図６に示すように、請求項１に記載の衣類乾燥システムにおいて、前記空調装置７,２７は、当該空調装置７,２７から供給される空気を前記乾燥室１,２１が設けられた階にある部屋８、廊下９等を順に流通させたうえで、前記空調装置７,２７に戻す循環型のものであり、
前記部屋８、廊下９等を順に流通した空気が前記空気取込口１２,２７から前記下方空間１１,２６に取り込まれることを特徴とする。
【０００９】
請求項２に記載の発明によれば、空調装置７,２７が循環型のものであるので、乾燥室１,２１が設けられた階においては、多量の乾燥空気の還気がある。この乾燥空気が空気取込口１２,２７から下方空間１１,２６に入って、仕切手段２,２２によって下方から上方の衣類乾燥室に吹き出されるので、衣類乾燥室３,２３に配置された洗濯物等の衣類を短時間でかつ均一に乾燥できるとともに、多量の乾燥空気を有効利用できる。
【００１２】
請求項３に記載の発明は、例えば図１に示すように、請求項１または２に記載の衣類乾燥システムにおいて、前記空気取込口１２と前記仕切手段２との間に、乾燥剤１３が設けられていることを特徴とする。
【００１３】
請求項３に記載の発明によれば、空気取込口１２と仕切手段２との間に、乾燥剤１３が設けられているので、空気取込口１２から入った空気が乾燥剤１３によってさらに乾燥されて、仕切手段２によって下方から上方の衣類乾燥室３に吹き出される。したがって、より短時間で衣類を乾燥できる。
【００１４】
請求項４に記載の発明は、例えば図１に示すように、請求項１〜３のいずれか一項に記載の衣類乾燥システムにおいて、前記乾燥室１に隣接して脱衣室５が設けられており、この脱衣室５と前記乾燥室１とを仕切る壁に、衣類を前記衣類乾燥室３に出し入れ可能な戸１５が設けられていることを特徴とする。
【００１５】
請求項４に記載の発明によれば、脱衣室５において、戸１５を開けて、衣類乾燥室３内の乾燥した衣類を取り出すことができ、また、雨天の際に濡れた衣類を、戸１５を開けて衣類乾燥室３に入れることができるので、使い勝手がよくなる。
【００１６】
請求項５に記載の発明は、例えば図１に示すように、請求項１〜４のいずれか一項に記載の衣類乾燥システムにおいて、前記吸気口１０の近傍に、湿度センサ１６が設けられており、この湿度センサ１６が建物の内の所定の部屋に設けられた表示器（操作モニタ１７）に接続されていることを特徴とする。
【００１７】
請求項５に記載の発明によれば、衣類乾燥室３内での衣類乾燥時は吸気口１０の近傍の湿度が上昇し、乾燥終了後は吸気口１０の近傍の湿度が元に戻る。したがって、これらの湿度の変化を表示器に表示させることによって、衣類の乾燥終了時を知ることができる。
【００１８】
請求項６に記載の発明は、例えば図１に示すように、請求項１〜５のいずれか一項に記載の衣類乾燥システムにおいて、前記仕切手段２には、埃除去・消臭用のフィルター４が設けられていることを特徴とする。
【００１９】
請求項６に記載の発明によれば、仕切手段２に、埃除去・消臭用のフィルター４が設けられているので、仕切手段２によって下方から上方の衣類乾燥室３に吹き出される空気は、除埃、消臭済みである。したがって、衣類乾燥室３内の衣類に埃や臭いが付着するのを防止できる。
【発明の効果】
【００２０】
本発明によれば、乾燥室に、当該乾燥室を上下に仕切るとともに、下方から上方に空気を吹出し可能とする仕切手段が設けられることによって、当該仕切手段より上方空間が衣類乾燥室とされ、前記衣類乾燥室を形成する壁または天井に、前記建物内に設けられた空調装置用の吸気口が設けられ、前記仕切手段より下方に位置する下方空間を形成する壁に、前記建物内の空気を前記下方空間に取り込む空気取込口が設けられているので、仕切手段によって吹き出された空気が衣類乾燥室に配置された洗濯物等の衣類に下方から均一に当たったうえで、吸気口に吸入される。したがって、乾燥室に乾燥機等の機器を設置することなく、洗濯物等の衣類を短時間でかつ均一に乾燥できる。
【図面の簡単な説明】
【００２１】
【図１】本発明に係る衣類乾燥システムの第１の実施の形態を示すもので、その断面図である。
【図２】同、衣類乾燥室に回転ハンガーを設けた状態を示す断面図である。
【図３】同、仕切手段に設ける貫通孔の変形例を示すもので、（ａ）は乾燥室の断面図、（ｂ）は仕切手段を構成する板状部材の平面図である。
【図４】本発明に係る衣類乾燥システムの第２の実施の形態を示すもので、その断面図である。
【図５】同、２階の衣類乾燥システムを示す断面図である。
【図６】同、１階の衣類乾燥システムを示す断面図である。
【発明を実施するための形態】
【００２２】
以下、図面を参照して、本発明の実施の形態について説明する。
（第１の実施の形態）
図１は本発明に係る衣類乾燥システムの一例を示す断面図である。図１に示すように、建物内には乾燥室１が設けられている。この乾燥室１には、当該乾燥室１を上下に仕切るとともに、下方から上方に空気を吹出し可能とする仕切手段２が設けられており、当該仕切手段２より上方空間が衣類乾燥室３とされている。この衣類乾燥室３の上部には、ハンガーを吊り下げるための吊下げ棒３ｂが設けられている。
【００２３】
前記仕切手段２は水平な板状部材によって形成されており、この板状部材には上下に貫通する複数の貫通孔２ａが複数形成されている。これら貫通孔２ａはその直径の大きさによって複数種類ある。つまり、板状部材には直径の異なる複数の貫通孔２ａが適宜の間隔をもって形成されている。また、隣り合う貫通孔２ａ,２ａどうしの間隔も一定ではなく、適宜設定されている。これによって、仕切手段２の複数の貫通孔２ａを下から上に吹き抜けて、上方つまり衣類乾燥室３に吹き出される空気は乱流Ｒとなる。
また、仕切手段２を構成する板状部材の下面には埃除去・消臭用のフィルター４が全ての貫通孔２ａの下端開口を覆うようにして設けられている。フィルター４は、空気は通すが、埃や臭いは捕獲する機能を有するものである。
【００２４】
なお、仕切手段２を、板状部材を使用することなく、フィルター４のみで構成してもよい。この場合、矩形枠にフィルター４を取り付け、このフィルター４を乾燥室１に当該乾燥室１を上下に仕切るようにして取り付ければよい。フィルター４では上記のような乱流は生じ難いが、乾燥室１を上下に仕切るとともに、下方から上方に空気を吹出し可能なものとなる。
【００２５】
前記衣類乾燥室３を形成する天井３ａは、乾燥室１に隣接している脱衣室５や廊下・ホール９等の天井６より低くなっており、この天井３ａの裏側に空調装置７が設けられている。この空調装置７は、当該空調装置７から供給される空気をダクト７ａを通して、乾燥室１が設けられた階にある部屋８、廊下９等を順に流通させたうえで、前記空調装置７に戻す循環型のものである。そして、この空調装置７用の吸気口１０が衣類乾燥室３を形成する天井３ａに設けられ、空調装置７の下面に設けられた空気吸入口が前記吸気口１０に対向している。また、吸気口１０にはガラリ１０ａが設けられている。
【００２６】
前記仕切手段２より下方に位置する下方空間１１を形成する壁には、建物内を流れてきた空気を下方空間１１に取り込む空気取込口１２が設けられており、この空気取込口１２にはガラリ１２ａが設けられている。このガラリ１２ａの裏側には乾燥剤１３が設けられている。したがって、ガラリ１２ａを通り抜けた空気は、乾燥剤１３によって湿気の一部が吸収されて乾燥されるようになっている。
また、前記乾燥室１と脱衣室５とを仕切る壁には、衣類を衣類乾燥室３に出し入れ可能な戸１５が設けられている。この戸１５の開閉方式はどのようなものでもよく、例えば、引き込み戸、上げ下げ戸、開き戸等どのような戸であってもよい。また、戸１５には、衣類乾燥室３を覗くことができる覗き窓を設けてもよい。
【００２７】
前記衣類乾燥室３の天井３ａに設けられた吸気口１０の縁部には、温湿度センサ１６が設けられている。
一方、空調装置７の操作モニタ（表示器）１７が建物内の部屋８の壁に取り付けられており、この操作モニタ１７に、温湿度センサ１６が接続されている。また、操作モニタ１７には部屋８の温湿度を検出可能な別の温湿度センサ１７ａが設けられている。
操作モニタ１７の表示画面には、前記温湿度センサ１６によって検出された吸気口１０の近傍の温度および湿度と、前記温湿度センサ１７ａによって検出された部屋８の温度および湿度が表示されるようになっている。
そして、この操作モニタ１７では、衣類乾燥室３での衣類乾燥時に一時的に吸気口１０の近傍の湿度が高まり、乾燥終了時に部屋８の湿度とほぼ等しくなることを感知して、衣類の乾燥が終了したことをユーザに画面表示や音によって知らせるようになっている。
【００２８】
上記のような衣類乾燥システムでは、洗濯機によって洗濯された洗濯物や、雨天の際に濡れた衣類を、脱衣室５から戸１５を開けて、衣類乾燥室３内に挿入し、ハンガーによって吊り棒３ｂに吊り下げる。
建物内の乾燥室１が設けられた階では、空調装置７から供給される空気がこの階にある部屋、廊下等を順に流通したうえで、乾燥室１の空気取込口１２に還流する。
一方、衣類乾燥室３を形成する天井３ａに吸気口１０が設けられているので、衣類乾燥室３の空気は吸気口１０に吸入され、これによって衣類乾燥室３が負圧となる。
建物内を流れてきた空気は空気取込口１２から乾燥室１の下方空間１１に入るが、衣類乾燥室３が負圧となっているので、仕切手段２によって下方から上方の衣類乾燥室３に吹き出される。つまり、下方空間１１に入った空気は、仕切手段２の複数の貫通孔２ａを下から上に吹き抜けて衣類乾燥室３に吹き出される。このとき、板状部材に形成されている複数の貫通孔２ａは直径が異なるうえ、隣り合う貫通孔２ａ,２ａどうしの間隔も一定ではなく、適宜設定されているので、複数の貫通孔２ａを下から上に吹き抜けて、上方つまり衣類乾燥室３に吹き出される空気は乱流Ｒとなる。
【００２９】
そして、この乱流Ｒとなった空気が衣類乾燥室３に吊り下げられた洗濯物等の衣類に下方から均一に当たったうえで、空調装置７用の吸気口１０に吸入される。
したがって、乾燥室１に乾燥機等の機器を設置することなく、洗濯物等の衣類を短時間でかつ均一に乾燥できる。
【００３０】
また、空調装置７が循環型のものであるので、乾燥室１が設けられた階においては、多量の乾燥空気の還気がある。この乾燥空気が空気取込口１２から下方空間１１に入って、仕切手段２によって下方から上方の衣類乾燥室３に吹き出されるので、衣類乾燥室３に配置された洗濯物等の衣類を短時間でかつ均一に乾燥できるとともに、多量の乾燥空気を有効利用できる。
さらに、仕切手段２に複数の貫通孔２ａが設けられており、これら貫通孔２ａはその直径の大きさによって複数種類あるので、これら貫通孔２ａから衣類乾燥室３に吹き出された空気が乱流Ｒとなり、衣類乾燥室３に配置された洗濯物等の衣類により均一に当たる。したがって、衣類をより均一に乾燥できる。
【００３１】
また、空気取込口１２と仕切手段２との間に、乾燥剤１３が設けられているので、空気取込口１２から入った空気が乾燥剤１３によってさらに乾燥されて、仕切手段２によって下方から上方の衣類乾燥室３に吹き出される。したがって、より短時間で衣類を乾燥できる。
また、仕切手段２に、埃除去・消臭用のフィルター４が設けられているので、仕切手段２によって下方から上方の衣類乾燥室に吹き出される空気から、除埃、消臭でき、よって衣類乾燥室内の衣類に埃や臭いが付着するのを防止できる。
さらに、脱衣室５と乾燥室１とを仕切る壁に、衣類を衣類乾燥室３に出し入れ可能な戸１５が設けられているので、脱衣室５において、戸１５を開けて、衣類乾燥室３内の乾燥した衣類を取り出すことができ、また、雨天の際に濡れた衣類を、戸１５を開けて衣類乾燥室３に入れることができるので、使い勝手がよくなる。
また、吸気口１０の近傍に、温湿度センサ１６が設けられており、この湿度センサ１６が建物の内の部屋８に設けられた操作モニタ１７に接続されており、操作モニタ１７には部屋８の温湿度を検出可能な別の温湿度センサ１７ａが設けられているので、衣類乾燥室３での衣類乾燥時に一時的に吸気口１０の近傍の湿度が高まり、乾燥終了時に部屋８の湿度とほぼ等しくなることを感知して、衣類の乾燥が終了したことをユーザに画面表示や音によって知らせることができる。
【００３２】
また、図２に示すように、前記衣類乾燥室３の天井３ａに、軸３ｃ回りに回転可能な回転ハンガー３ｄを軸２ｃによって取り付けた場合、仕切手段２の複数の貫通孔２ａを下から上に吹き抜けて衣類乾燥室３に吹き出された空気の乱流によって、回転ハンガー３ｄが回転するので、衣類をムラなく乾燥できるとともに、衣類の出し入れが容易となる。
また、図３に示すように、仕切手段２に設ける複数の貫通孔２ａの大きさ、配置を以下のように変更してもよい。
すなわち、図３（ｂ）に示すように、仕切手段２の板状部材の一辺２ｂに沿って等間隔で同じ直径の貫通孔２ａを形成するとともに、一辺２ｂに直交する他辺２ｃに沿って、直径を次第に小さくし、かつ配置間隔を次第に狭くした貫通孔２ａを形成してもよい。
このような仕切手段２は、例えば、図３（ａ）に示すように、空気取込口１２から遠い側に、前記一辺２ｂを配置し、近い側に一辺２ｂと対向する他辺２ｄを配置するようにして、乾燥室１に設ける。
このようにすると、直径の大きい貫通孔２ａの上方に、乾き難い衣類を吊下げ棒３ｂにハンガーによって吊下げ、直径の小さい貫通孔２ａの上方に、乾き易い衣類を吊下げ棒３ｂにハンガーによって吊下げることによって、乾き難い衣類には、直径の大きい貫通孔２ａから多量の空気を当てることができ、乾き易い衣類には、直径の小さい貫通孔２ａから少量の空気を当てることができる。したがって、乾燥すべき衣類を区別して効率的に乾燥できる。
【００３３】
（第２の実施の形態）
図４は本発明に係る衣類乾燥システムの他の例を示す断面図である。
本例では、建物の１階と２階の双方に、本発明に係る衣類乾燥システムをそれぞれ備えている。
まず、２階の衣類乾燥システムについて説明する。
２階の衣類乾燥システムでは、図４および図５に示すように、空調装置７が小屋裏に設置さており、これによって、乾燥室１が、図１に示す衣類乾燥システムに比して、上方に配置されている。
乾燥室１の下方には、天井高が０．９ｍ〜１．４ｍ程度の収納室１８が設けられており、この収納室１８には、２階の居室等から出入りできるようになっている。
【００３４】
前記乾燥室１の構成は、図１に示す衣類乾燥システムと同様であるので、同一構成部分には同一符号を付して、その説明を省略ないし簡略化する。
前記空調装置７には吸気用のダクト７ｂが接続され、このダクト７ｂが乾燥室１の衣類乾燥室３を形成する天井３ａに設けられた吸気口１０に接続されている。
【００３５】
そして、本例の衣類乾燥システムでは、２階において、空調装置７から供給される空気がダクト７ａを通して、２階にある部屋８、廊下９等を順に流通したうえで、乾燥室１の空気取込口１２に還流する。
一方、衣類乾燥室３を形成する天井３ａに吸気口１０が設けられているので、衣類乾燥室３の空気は吸気口１０に吸入され、これによって衣類乾燥室３が負圧となる。
建物内を流れてきた空気は空気取込口１２から乾燥室１の下方空間１１に入るが、衣類乾燥室３が負圧となっているので、下方空間１１に入った空気は、仕切手段２の複数の貫通孔２ａを下から上に吹き抜けて衣類乾燥室３に吹き出される。このとき、板状部材に形成されている複数の貫通孔２ａは直径が異なるうえ、隣り合う貫通孔２ａ,２ａどうしの間隔も一定ではなく、適宜設定されているので、複数の貫通孔２ａを下から上に吹き抜けて、上方つまり衣類乾燥室３に吹き出される空気は乱流Ｒとなる。
そして、この乱流Ｒとなった空気が衣類乾燥室３に吊り下げられて配置された洗濯物等の衣類に下方から均一に当たったうえで、空調装置７用の吸気口１０に吸入される。
したがって、乾燥室１に乾燥機等の機器を設置することなく、洗濯物等の衣類を短時間でかつ均一に乾燥できる。
【００３６】
次に、１階の衣類乾燥システムについて説明する。
１階の衣類乾燥システムでは、図４および図６に示すように、建物内の階段２０の下に乾燥室２１が設けられている。この乾燥室２１には、当該乾燥室２１を上下に仕切るとともに、下方から上方に空気を吹出し可能とする仕切手段２２が設けられており、当該仕切手段２２より上方空間が衣類乾燥室２３とされている。この衣類乾燥室２３の上部には、ハンガーを吊り下げるための吊下げ棒２３ｂが設けられている。
【００３７】
前記仕切手段２２は前記仕切手段２と同様の構成となっており、複数の貫通孔２ａを備えている。水平な板状部材によって形成されており、この板状部材には上下に貫通する複数の貫通孔２ａが複数形成されている。そして、仕切手段２２の複数の貫通孔２ａを下から上に吹き抜けて衣類乾燥室２３に吹き出される空気は乱流Ｒとなる。
また、仕切手段２２を構成する板状部材の下面には埃除去・消臭用のフィルター４が全ての貫通孔２ａの下端開口を覆うようにして設けられている。
【００３８】
前記衣類乾燥室２３に隣接している階段下の階段室２４には空調装置２７が設けられている。この空調装置２７は、当該空調装置２７から供給される空気を床下に配置されたダクト２７ａを通して、１階にある部屋８、廊下・ホール９等を順に流通させたうえで、前記空調装置２７に戻す循環型のものである。
そして、この空調装置２７用の吸気口２５が衣類乾燥室２３と階段室２４とを仕切る壁２３ａに設けられ、この吸気口２５にはガラリ２５ａが設けられている。
【００３９】
前記仕切手段２２より下方に位置する下方空間２６を形成する壁には、建物内を流れてきた空気を下方空間２６に取り込む空気取込口２８が設けられており、この空気取込口２８にはガラリ２８ａが設けられている。このガラリ２８ａの裏側には乾燥剤１３が設けられている。したがって、ガラリ２８ａを通り抜けた空気は、乾燥剤１３によって湿気の一部が吸収されて乾燥されるようになっている。
また、前記乾燥室２１と廊下・ホール９とを仕切る壁には、衣類を衣類乾燥室２３に出し入れ可能な戸２９が設けられている。
【００４０】
そして、本例の衣類乾燥システムでは、１階において、空調装置２７から供給される空気がダクト２７ａを通して、１階にある部屋８、廊下９等を順に流通したうえで、乾燥室２１の空気取込口２８に還流する。
一方、衣類乾燥室２３を形成する壁２３ａに吸気口２５が設けられているので、衣類乾燥室２３の空気は吸気口２５に吸入され、これによって衣類乾燥室２３が負圧となる。
建物内を流れてきた空気は空気取込口２８から乾燥室２１の下方空間２６に入るが、衣類乾燥室２３が負圧となっているので、下方空間２６に入った空気は、仕切手段２２の複数の貫通孔２ａを下から上に吹き抜けて衣類乾燥室２３に吹き出される。このとき、板状部材に形成されている複数の貫通孔２ａは直径が異なるうえ、隣り合う貫通孔２ａ,２ａどうしの間隔も一定ではなく、適宜設定されているので、複数の貫通孔２ａを下から上に吹き抜けて、衣類乾燥室２３に吹き出される空気は乱流Ｒとなる。
そして、この乱流Ｒとなった空気が衣類乾燥室２３に吊り下げられた洗濯物等の衣類に下方から均一に当たったうえで、空調装置２７用の吸気口２５に吸入される。
したがって、乾燥室１に乾燥機等の機器を設置することなく、洗濯物等の衣類を短時間でかつ均一に乾燥できる。
【００４１】
なお、本例の衣類乾燥システムでは、上述した第１の実施の形態と同様の効果を得ることができる。
また、本例の１階および２階の衣類乾燥システムにおいて、第１の実施の形態と同様に、吸気口２５の縁部に温湿度センサを設ける一方で、空調装置２７の温湿度センサを有する操作モニタを建物内の部屋の壁に取り付け、この操作モニタに、前記温湿度センサを接続してもよい。これによって、衣類乾燥室２３での衣類乾燥時に一時的に吸気口２５の近傍の湿度が高まり、乾燥終了時に部屋の湿度とほぼ等しくなることを感知して、衣類の乾燥が終了したことをユーザに画面表示や音によって知らせることができる。
【符号の説明】
【００４２】
１,２１  乾燥室
２,２２  仕切手段
２ａ  貫通孔
３,２３  衣類乾燥室
４  フィルター
５  脱衣室
７,２７  空調装置
８  部屋
９  廊下
１０,２５  吸気口
１１,２６  下方空間
１２,２７  空気取込口
１３  乾燥剤
１５,２９  戸
１６  温湿度センサ（湿度センサ）
１７  操作モニタ（表示器）
【図１】
0005694747.tif 000002
【図２】
0005694747.tif 000003
【図３】
0005694747.tif 000004
【図４】
0005694747.tif 000005
【図５】
0005694747.tif 000006
【図６】
0005694747.tif 000007